(57)【要約】【課題】あらゆるタイプの便座に装着して使用ものであって、装着が容易で使用時の感触に優れた便座カバーを提供する。【解決手段】主体部２の平面形状を便座上面の片側に沿う弧状に形成し、左右側縁の複数位置においてそれぞれ対をなす面ファスナー５、６を備えた係止テープ３、４を設け、便座裏面において前記係止テープ３と４を係止することによって便座７に装着可能とする。便座カバー１の主体部２は、少なくとも裏生地、芯地及び表生地を重ね合わせて形成し、裏面の複数位置に便座表面に密着する吸着性部材11、11を配置する。この吸着性部材11、11は裏生地及び芯地と一緒に縫着などの手段によって接合し、芯地表面に表生地を配置して周縁を縫製などによって接合して便座カバー１を完成させる。芯地と表生地の間にポリウレタンのようなクッション材12を配置するのが好ましい。【選択図】  図１
0003141486.tif 000002
【実用新案登録請求の範囲】
【請求項１】
主体部の平面形状を便座上面の片側に沿う弧状に形成し、左右側縁の複数位置においてそれぞれ対をなす面ファスナーを備えた係止テープを設け、便座裏面において前記係止テープどうしを係止することによって便座に装着可能とする便座カバーにおいて、
主体部を、少なくとも裏生地、芯地、及び表生地を重ね合わせて形成し、裏面の一部複数位置に便座表面に密着する吸着性部材を配置し、該吸着性部材は裏生地及び芯地と一緒に縫着などの手段によって接合し、芯地表面に表生地を配置して周縁を縫製などによって接合したことを特徴とする便座カバー。
【請求項２】
芯地と表生地の間にポリウレタンのようなクッション材を配置したことを特徴とする請求項１記載の便座カバー。
【請求項３】
裏面に配置する吸着性部材は、便座カバーの長手方向の両端部近辺と中間位置の三箇所とし、吸着部材と吸着部材の間の二箇所に係止テープを配置したことを特徴とする請求項１又は２記載の便座カバー。
【請求項４】
左右側縁の複数位置においてそれぞれ対をなして配置する係止テープのうち、雌ファスナー用の係止テープは、全長を面ファスナーとしファスナー面を外側にして二つ折し、二つ折りとした両端部を主体部の周縁に縫着し、縫着している両端部の一方を切断することによって雌の面ファスナーとしての係止テープの長さを変更可能としたことを特徴とする請求項１ないし３のいずれかに記載の便座カバー。
【考案の詳細な説明】
【技術分野】
【０００１】
本考案は、各種タイプの便座に共通して使用することができる便座カバーに関し、便座への装着が容易であるとともに、使用感に優れた便座カバーに係る考案である。
【背景技術】
【０００２】
便座には、前割便座や環状の便座、環状に形成されるものにおいても各種の形状やサイズのものが存在する。そのため、使用する便座カバーも便座の種類やサイズに応じて多種類が存在し、使用者が購入する際に型式やサイズを間違い易い欠点があった。また、便座カバーは必ずしも装着が容易なものではなかった。
このような、従来技術の欠点を解消するため、本考案者は特許文献１に開示されるように、左右に分離させた便座カバーを、面ファスナーを備えた係止テープによって装着可能とする便座カバーを考案している。
また、特許文献２や３に開示されているように、左右片側の便座形状に一致する弧状に形成したシートの裏面に吸着層を設け、便座表面に貼り付けるものも工夫されている。
【特許文献１】実用新案登録第３１３７３９４号公報
【特許文献２】特開平１０―３１４０７１号公報
【特許文献３】実用新案登録第３１０５０８１号公報
【考案の開示】
【考案が解決しようとする課題】
【０００３】
従来の、特許文献２や３に開示される貼り付けるタイプの便座カバーは、任意形状の便座表面に貼り付けて使用することが可能であるが、裏面を完全に密着させるものであるため、便座１表面の立体的な曲面の凹凸には沿い難く、必ずしも使い勝手のよいものではなかった。また、特許文献１に開示される便座カバーでは、狭いトイレの中での着脱作業が不便になる場合があった。そして、特許文献１ないし３に記載のいずれの便座カバーにおいても使用感が必ずしも良好なものでない欠点があった。
【０００４】
上記、従来技術の欠点に鑑み、本考案は、あらゆるタイプの便座に装着可能であって、装着作業が比較的容易であり使用感に優れた便座カバーを提供することを目的とするものである。
【課題を解決するための手段】
【０００５】
請求項１記載の、本考案に係る便座カバー１は、主体部２の平面形状を便座上面の片側に沿う弧状に形成し、左右側縁の複数位置においてそれぞれ対をなす面ファスナー５、６を備えた係止テープ３、４を設け、便座裏面において前記係止テープ３と４を係止することによって便座７に装着可能とする便座カバーである。
便座カバー１の主体部２は、少なくとも裏生地８、芯地９及び表生地10を重ね合わせて形成し、裏面の複数位置に便座表面に密着する吸着性部材11、11を配置する。この吸着性部材11、11は裏生地８及び芯地９と一緒に縫着などの手段によって接合し、芯地９表面に表生地10を配置して周縁を縫製などによって接合して便座カバー１を完成させる。
【０００６】
請求項２記載の考案は、芯地９と表生地10の間にポリウレタンのようなクッション材12を配置することである。
請求項３記載の発明は、裏面に配置する吸着性部材11、11を、便座カバー１の長手方向の両端部近辺と中間位置の三箇所とし、吸着部材11と吸着部材11の間の二箇所に係止テープ３、４を配置する。
【０００７】
請求項４記載の発明は、左右側縁の複数位置においてそれぞれ対をなして配置する係止テープ３、４のうち、雌ファスナー用の係止テープ４は、全長を面ファスナー６としファスナー面を外側にして二つ折りし、二つ折りとした両端部を主体部の周縁に縫着し、縫着している両端部の一方を切断することによって雌の面ファスナー６としての係止テープ４の長さを変更可能とするものである。
【考案の効果】
【０００８】
請求項１記載の考案によれば、任意形状の便器の左右両側に、面ファスナー５、６を備えた係止テープ３、４によって、確実且つ簡単に取り付けて使用することができる。この際、便座カバー１の裏面の複数位置に配置される吸着性部材11によって、便座カバー全体が便座の所定位置に仮止め的に止着される。この状態で係止テープを便座の裏側に回して固定することができるため、便座カバーの取付け作業を円滑に行うことができる。特に、裏生地８と吸着性部材11は、芯地９に接合されているため型崩れし難く、形のしっかりしたものを置くような感覚で位置決めすることができる。
【０００９】
便座カバー裏面の全体が吸着面であると、装着の位置決め作業の際、例えば少しの向きの狂いが修正されずに傾いた状態に固定されることになるが、本考案では裏面の複数位置に吸着性部材11、11を配置しているため、前端部と後端部のそれぞれの位置での置きなおしが可能で、正しい位置に容易に配置することができる。また、従来の全面が吸着面である便座カバーは全体が薄くて柔軟なものであったため、全体形状が湾曲形状であることと相俟って皺の寄った状態に装着され易いとともに、便座の硬さが肌に伝わるため着座したときの使用感、すなわち柔らかい肌触りに欠ける難点があった。これに対して、本考案では、芯地の存在によって保形性に優れ、その表面に配置する表地の材質選択によってより肌触りのよいものとすることができる。
【００１０】
請求項２記載の考案によれば、便座カバー１にクッション性を持たせることによって、より座り心地の良いものとすることができる。
【００１１】
請求項３記載の考案によれば、芯材による保形性と相俟って、二箇所といった少ない係止位置で、便座カバーをしっかりと装着することができる。
請求項４記載の考案によれば、サイズや形状の異なる便座に対して汎用的に使用することができるため、例えばサイズの買い間違いによる無駄を回避することができるとともに、製造販売の際に多種類のサイズを揃える必要がないという実益を有する。
【考案を実施するための最良の形態】
【００１２】
以下、本考案に係る便座カバーの実施形態を添付の図面に基づいて説明する。
図１は本考案に係る便座カバーの裏面図、図２は環状の便座に便座カバーを装着した係止テープ部分の平面図、図３は図２のIII−III線断面図、図４はサイズの大きな便座に装着した状態の断面図、図５は主体部分の分解状態の断面図、図６は図１のVI−VI線断面図、図７は図１のVII−VII線断面図である。
【００１３】
図１、図２から理解されるように、本考案に係る便座カバー１は、主体部２の平面形状を便座７上面の片側に沿うような弧状に形成し、左右対称形のものを一対として使用する。主体部２の平面形状は、特定の便器の平面形状に正確に一致させる必要はなく、各種便座に共通する領域を基準として決定する。
【００１４】
主体部２は、図５に示すように裏生地８、芯地９、表生地10及びクッション材12で構成する。アクリル樹脂系の吸着性部材11は、例えばアクリル樹脂系の公知の吸着性素材を利用し、図面上小さな円形として裏生地８の表面(便座カバーの裏面)に配置する。  一般に吸着性部材そのものは公知であり、本考案における吸着性部材11は、特に材質が制限されるものではなく、公知のものを利用することが可能である。ただし、汎用的に市販されるアクリル樹脂系の吸着性素材は、厚みが略３mm程度であるが、本考案において使用する吸着性部材11は、厚さ１mm程度にスライスして使用するのが好ましい。これにより、便座に着座したときに凸凹した違和感がなく、より快適に使用することができる。
【００１５】
吸着性部材11は、図示実施形態において、便座カバー１の長手方向の両端部近辺と中間位置の三箇所に配置し、吸着部材11と吸着部材11の間の二箇所に係止テープ３、４を配置している。吸着性部材11の具体的形状は、特に限定されるものではないが、図示実施形態においては比較的地小さな円形として実施し、吸着性部材11は、裏生地８及び芯地９と接合している。裏生地８及び芯地９と吸着性部材11を接合するには、三者を重ね合わせた状態で吸着性部材の周囲を縫製によって一体化するのが、製造が容易であって効果的である。
【００１６】
主体部２は、芯地９の表面に表生地10を配置し、外周囲を縁テープ13で覆って縫製によって一体的に接合している。図示実施形態においては、表生地10を配置して外周囲を接合するに際して、芯地９と表生地10の間にポリウレタンシートのようなクッション材12を配置することによって、弾力性を持たせている。表生地10として、起毛性の生地やパイル生地を使用することによって、肌に優しい感触を実現することができるが、特にポリエステル繊維のマイクロファイバーによる編地を使用すると、ソフトな感覚を実現し肌に対する刺激が少なく、使用感により優れたものとすることができる。なお、表生地10に十分な厚みと柔軟性がある場合は、必ずしもクッション材12は必要ではない。
【００１７】
便座カバー１の裏面には、主体部２の左右側縁の二箇所、すなわち吸着性部材11と11の中間位置に、それぞれ対をなす面ファスナーを５、６備えた係止テープ３、４を設け、図３に示すように係止テープ３と４を便座７の裏面において係止することによって便座７に装着するようにしている。上記、左右側縁の複数位置(二箇所)においてそれぞれ対をなして配置する係止テープ３、４のうち、雌ファスナー用の係止テープ４は、全長を面ファスナーとしファスナー面を外側にして二つ折し、二つ折りとした両端部を主体部２の外周縁に縫着している。この構成とすることによって、縫着している両端部の一方を切断することによって雌の面ファスナー６を備えた係止テープ４の長さを変更し、図４に示すように、大きな便座(幅の大きな便座)７にも装着することができる。
【００１８】
以上述べた、本考案に係る便座カバー１は、芯地９によって腰の強いものとしたこと及び裏面の一部に吸着性部材11を配置したことによって、便座７に対して取付け易くした特長がある。そして、裏生地８と芯地９及び吸着性部材11を縫製などによって接合するため、位置ずれを生じることがなく、安定的に取り扱うことができる。したがって、便座カバー１の装着に際して、便座カバー１を便座７に置くだけといった作業で位置決めされ、位置決めされた状態で二箇所の係止テープを面ファスナーで閉じることによって装着が完了する。通常の使用に対する安定性は、吸着性部材11による係止と二箇所の係止テープによる係止との相乗効果によって確保される。
すなわち、本考案の便座カバーでは、狭い便所や暑い便所でも装着作業を短時間で円滑に済ませることができる。
【００１９】
本考案の更なる特長は、使用感に優れることである。このことは、芯地の存在によって型崩れしないものであることと、その上にクッション材や表面部材を配置し、表面部材として柔らかな素材を選択することによって実現することができる。
【図面の簡単な説明】
【００２０】
【図１】図１は、本考案に係る便座カバーの裏面図、
【図２】図２は、環状の便座に便座カバーを装着した係止テープ部分の平面図、
【図３】図３は、図２のIII−III線断面図、
【図４】図４は、サイズの大きな便座に装着した状態の断面図、
【図５】図５は、主体部分の分解状態の断面図、
【図６】図６は、図１のVI−VI線断面図、
【図７】図７は図１のVII−VII線断面図である。
【符号の説明】
【００２１】
１…便座カバー、  ２…主体部、  ３、４…係止テープ、  ５、６…面ファスナー、  ７…便座、  ８…裏生地、  ９…芯地、  10…表生地、  11…吸着性部材、  12…クッション材、  13…縁テープ。
【図１】
0003141486.tif 000003
【図２】
0003141486.tif 000004
【図３】
0003141486.tif 000005
【図４】
0003141486.tif 000006
【図５】
0003141486.tif 000007
【図６】
0003141486.tif 000008
【図７】
0003141486.tif 000009